(57)【要約】  本発明は、ユーザ装置（ＵＥ）によるセル探索の制御方法、ユーザ装置、ネットワーク装置及びコンピュータ記憶媒体を開示し、システムを介して、受信ネットワーク側に送信した、同期情報ブロック識別子に対応する周波数層情報をブロードキャストするステップと、検索されたビーム識別子又は前記同期情報ブロック識別子に対応する周波数層情報に基づき、探索する少なくとも１つの高優先度周波数セルを決定するステップであって、前記高優先度周波数セルは、周波数優先度が前記ＵＥの現在位置するセルの周波数優先度より高いセルであるステップと、探索時間間隔に基づいて、探索する少なくとも１つの高優先度周波数セルを探索するステップであって、前記探索時間間隔は、性能要件を満たすすべての高優先度周波数セルの最小時間間隔であるステップとを含む。
2021516881.tif 000002
【特許請求の範囲】
【請求項１】
ＵＥに適用される、ユーザ装置（ＵＥ）によるセル探索の制御方法であって、
システムを介して、受信ネットワーク側に送信した、同期情報ブロック識別子に対応する周波数層情報をブロードキャストするステップと、
検索されたビーム識別子又は前記同期情報ブロック識別子に対応する周波数層情報に基づき、探索する少なくとも１つの高優先度周波数セルを決定するステップであって、前記高優先度周波数セルは、周波数優先度が前記ＵＥの現在位置するセルの周波数優先度より高いセルであるステップと、
探索時間間隔に基づいて、探索する少なくとも１つの高優先度周波数セルを探索するステップであって、前記探索時間間隔は、性能要件を満たすすべての高優先度周波数セルの最小時間間隔であるステップを含む、前記ユーザ装置（ＵＥ）によるセル探索の制御方法。
【請求項２】
ネットワーク側によってブロードキャストされる補正因子を受信するステップであって、前記補正因子は、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに関連付けられているステップと、
前記補正因子に基づいて前記探索時間間隔を補正するステップとをさらに含む
請求項１に記載の方法。
【請求項３】
前記ネットワーク側によってブロードキャストされる補正因子を受信するステップは、
ネットワーク側と同期信号ブロック識別子によって共にブロードキャストされる補正因子を受信するステップを含む
請求項２に記載の方法。
【請求項４】
前記補正因子に基づいて前記最小時間間隔を補正するステップは、
前記ＵＥが現在の同期信号ブロック識別子を取得して、現在の同期信号ブロック識別子に対応する補正因子を選択するステップと、
前記現在の同期信号ブロック識別子に対応する補正因子に基づいて、前記探索時間間隔を補正するステップとを含む
請求項３に記載の方法。
【請求項５】
前記現在の同期信号ブロック識別子に対応する補正因子に基づいて、前記探索時間間隔を補正するステップは、
前記探索時間間隔に前記補正因子を掛けて、補正後の探索時間間隔を得るステップを含む
請求項４に記載の方法。
【請求項６】
ＲＡＮ４によって定義される少なくとも１つの第１補正因子を保存するステップをさらに含み、それぞれの第１補正因子は、いずれも前記ＵＥの位置するセルの周波数優先度とＵＥの探索するターゲット周波数優先度との間の差、及びＵＥの位置するセルの周波数優先度の２つの次元に対応する
請求項１に記載の方法。
【請求項７】
前記ＵＥの現在位置するセルの周波数優先度及び前記ＵＥの探索するターゲット周波数に基づいて、第１補正因子を決定するステップと、
現在の同期信号ブロック識別子に基づいて、対応する第２補正因子を選択するステップと、
前記第１補正因子及び第２補正因子に基づいて、補正後の探索時間間隔を決定するステップとをさらに含む
請求項６に記載の方法。
【請求項８】
前記第１補正因子及び第２補正因子に基づいて、補正後の探索時間間隔を決定するステップは、
前記探索時間間隔に前記第１補正因子を掛ける後、第２補正因子をさらに掛けて、補正後の探索時間間隔を得るステップを含む
請求項７に記載の方法。
【請求項９】
前記周波数層情報は周波数層の数、又は、すべての隣接セルの周波数層の周波数及び前記周波数に対応する隣接セルの構成情報である
請求項１〜８のいずれか１項に記載の方法。
【請求項１０】
ネットワーク装置に適用される、ユーザ装置（ＵＥ）によるセル探索の制御方法であって、
システムブロードキャストを介してＵＥに同期情報ブロック識別子に基づく周波数層情報をＵＥに送信するステップを含む
ユーザ装置（ＵＥ）によるセル探索の制御方法。
【請求項１１】
前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに基づいて、前記探索時間間隔に対する補正因子を決定するステップと、
システムブロードキャストを介して前記ＵＥに前記探索時間間隔に対する補正因子を送信するステップとをさらに含む
請求項１０に記載の方法。
【請求項１２】
前記システムブロードキャストを介して前記ＵＥに前記探索時間間隔に対する補正因子を送信するステップは、
同期信号ブロック識別子と、対応する補正因子を共にシステムブロードキャストを介して前記ＵＥに送信するステップを含む
請求項１１に記載の方法。
【請求項１３】
システムを介して同期信号ブロック識別子に対応する第２補正因子をブロードキャストするステップをさらに含む
請求項１０に記載の方法。
【請求項１４】
前記周波数層情報は周波数層の数、又は、すべての隣接セルの周波数層の周波数及び前記周波数に対応する隣接セルの構成情報である
請求項１０〜１３のいずれか１項に記載の方法。
【請求項１５】
ＵＥであって、
システムを介して、受信ネットワーク側に送信した、同期情報ブロック識別子に対応する周波数層情報をブロードキャストし、探索時間間隔に基づいて、探索する少なくとも１つの高優先度周波数セルを検索するように構成される第１通信ユニットであって、前記探索時間間隔は、性能要件を満たすすべての高優先度周波数セルの最小時間間隔である第１通信ユニットと、
検索されたビーム識別子又は前記同期情報ブロック識別子に対応する周波数層情報に基づき、探索する少なくとも１つの高優先度周波数セルを決定するように構成される第１処理ユニットであって、前記高優先度周波数セルは、周波数優先度が現在位置するセルの周波数優先度より高いセルである第１処理ユニットとを含む、前記ＵＥ。
【請求項１６】
前記第１通信ユニットは、ネットワーク側によってブロードキャストされる補正因子を受信するように構成され、前記補正因子は、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つの関連付けられ、
前記第１処理ユニットは、前記補正因子に基づいて前記探索時間間隔を補正するように構成される、
請求項１５に記載のＵＥ。
【請求項１７】
前記第１通信ユニットは、ネットワーク側と同期信号ブロック識別子によって共にブロードキャストされる補正因子を受信するように構成される
請求項１６に記載のＵＥ。
【請求項１８】
前記第１処理ユニットは、現在の同期信号ブロック識別子を取得して、現在の同期信号ブロック識別子に対応する補正因子を選択し、前記現在の同期信号ブロック識別子に対応する補正因子に基づいて、前記探索時間間隔を補正するように構成される
請求項１７に記載のＵＥ。
【請求項１９】
前記第１処理ユニットは、前記探索時間間隔に前記補正因子を掛けて、補正後の探索時間間隔を得るように構成される
請求項１８に記載のＵＥ。
【請求項２０】
前記第１処理ユニットは、ＲＡＮ４によって定義される少なくとも１つの第１補正因子を保存するように構成され、それぞれの第１補正因子は、いずれも前記ＵＥの位置するセルの周波数優先度とＵＥの探索するターゲット周波数優先度との間の差、及びＵＥの位置するセルの周波数優先度の２つの次元に対応する
請求項１５に記載のＵＥ。
【請求項２１】
前記第１処理ユニットは、前記ＵＥの現在位置するセルの周波数優先度及び前記ＵＥ探索するターゲット周波数に基づいて、第１補正因子を決定し、現在の同期信号ブロック識別子に基づいて、対応する第２補正因子を選択し、前記第１補正因子及び第２補正因子に基づいて、補正後の探索時間間隔を決定するように構成される
請求項２０に記載のＵＥ。
【請求項２２】
前記第１処理ユニットは、前記探索時間間隔に前記第１補正因子を掛ける後、第２補正因子をさらに掛けて、補正後の探索時間間隔を得るように構成される
請求項２１に記載のＵＥ。
【請求項２３】
前記周波数層情報は周波数層の数、又は、すべての隣接セルの周波数層の周波数及び前記周波数に対応する隣接セルの構成情報である
請求項１５〜２２のいずれか１項に記載のＵＥ。
【請求項２４】
ネットワーク装置であって、
システムブロードキャストを介してＵＥに同期情報ブロック識別子に基づく周波数層情報を送信するように構成される第２通信ユニットを含む、前記ネットワーク装置。
【請求項２５】
前記ネットワーク装置は、
前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに基づいて、前記探索時間間隔に対する補正因子を決定するように構成される第２処理ユニットをさらに含み、
前記第２通信ユニットは、システムブロードキャストを介して前記ＵＥに前記探索時間間隔に対する補正因子を送信するように構成される
請求項２４に記載のネットワーク装置。
【請求項２６】
前記第２通信ユニットは、同期信号ブロック識別子と、対応する補正因子を共にシステムブロードキャストを介して前記ＵＥに送信するように構成される
請求項２５に記載のネットワーク装置。
【請求項２７】
前記第２通信ユニットは、システムを介して同期信号ブロック識別子に対応する第２補正因子をブロードキャストするように構成される
請求項２４に記載のネットワーク装置。
【請求項２８】
前記周波数層情報は周波数層の数、又は、すべての隣接セルの周波数層の周波数及び前記周波数に対応する隣接セルの構成情報である
請求項２４〜２７のいずれか１項に記載のネットワーク装置。
【請求項２９】
ＵＥであって、
プロセッサ、及びプロセッサで実行可能なコンピュータプログラムを記憶するメモリを含み、
前記プロセッサは、前記コンピュータプログラムを実行する時、請求項１〜９のいずれか１項に記載の方法のステップを実行する、前記ＵＥ。
【請求項３０】
ネットワーク装置であって、
プロセッサ、及びプロセッサで実行可能なコンピュータプログラムを記憶するメモリを含み、
前記プロセッサは、前記コンピュータプログラムを実行する時、請求項１０〜１４のいずれか１項に記載の方法のステップを実行する、前記ネットワーク装置。
【請求項３１】
コンピュータ記憶媒体であって、
コンピュータ実行可能命令が記憶され、前記コンピュータ実行可能命令が実行されると、請求項１〜１４のいずれか１項に記載の方法のステップを実行する、前記コンピュータ記憶媒体。
【発明の詳細な説明】
【技術分野】
【０００１】
本発明は情報処理技術分野に関し、特にユーザ装置（ＵＥ）によるセル探索の制御方法、ユーザ装置（ＵＥ）、ネットワーク装置及びコンピュータ記憶媒体に関する。
【背景技術】
【０００２】
ＵＥがアイドル（ｉｄｌｅ）状態でセル選択及び再選択を実行するプロセスに、ｉｄｌｅ状態での負荷バランスを満たすために、周波数優先度に基づくセル再選択のポリシーを定義する。具体的には、同じ周波数又は同じ周波数と異なる優先度のセル再選択において、Ｒ基準でセル再選択を実行し、すなわち、セルの信号品質に応じてソートし、信号品質が最も高いセルを候補再選択ターゲットセルとして選択する。高周波数優先度のセルの場合、セル信号品質が所定のしきい値を満たすと、高周波数優先度のセルに再選択し、低周波数優先度のセルの場合、サービスセルの信号品質が所定のしきい値より低い場合のみ、再選択される。
【０００３】
現在のＮＲセルにおいて、周波数優先度に基づいてセル再選択を実行することも継続して使用できる。しかしながら、ＵＥによる高優先度のセルの検索が多いほど、消費する電力も多くなる。
【発明の概要】
【発明が解決しようとする課題】
【０００４】
上記技術的課題を解決するために、本発明の実施例はユーザ装置（ＵＥ）によるセル探索の制御方法、ユーザ装置（ＵＥ）、ネットワーク装置及びコンピュータ記憶媒体を提供する。
【課題を解決するための手段】
【０００５】
本発明の実施例はＵＥに適用されるセルを検索するようにユーザ装置（ＵＥ）を制御する方法を提供し、前記方法は、
システムを介して受信ネットワーク側に送信した、同期情報ブロック識別子に対応する周波数層情報をブロードキャストするステップと、
検索されたビーム識別子又は前記同期情報ブロック識別子に対応する周波数層情報に基づき、探索する少なくとも１つの高優先度周波数セルを決定するステップであって、前記高優先度周波数セルは、周波数優先度が前記ＵＥの現在位置するセルの周波数優先度より高いセルであるステップと、
探索時間間隔に基づいて、探索する少なくとも１つの高優先度周波数セルを探索するステップであって、前記探索時間間隔は、性能要件を満たすすべての高優先度周波数セルの最小時間間隔であるステップとを含む。
【０００６】
本発明の実施例はネットワーク装置に適用されるセルを検索するようにユーザ装置（ＵＥ）を制御する方法を提供し、前記方法は、
システムブロードキャストを介してＵＥに同期情報ブロック識別子に基づく周波数層情報を送信するステップを含む。
【０００７】
本発明の実施例により提供されるＵＥであって、
システムを介して、受信ネットワーク側に送信した、同期情報ブロック識別子に対応する周波数層情報をブロードキャストし、探索時間間隔に基づいて、探索する少なくとも１つの高優先度周波数セルを探索するように構成される第１通信ユニットであって、前記探索時間間隔は、性能要件を満たすすべての高優先度周波数セルの最小時間間隔である第１通信ユニットと、
検索されたビーム識別子又は前記同期情報ブロック識別子に対応する周波数層情報に基づき、周波数優先度が現在位置するセルの周波数優先度より高いセルである探索する少なくとも１つの高優先度周波数セルを決定するように構成される第１処理ユニットとを含む。
【０００８】
本発明の実施例により提供されるネットワーク装置であって、
システムブロードキャストを介してＵＥに同期情報ブロック識別子に基づく周波数層情報を送信するように構成される第２通信ユニットを含む。
【０００９】
本発明の実施例により提供されるユーザ装置（ＵＥ）であって、プロセッサ、及びプロセッサで実行可能なコンピュータプログラムを記憶するメモリを含み、
前記プロセッサは前記コンピュータプログラムを実行する時、前記方法のステップを実行する。
【００１０】
本発明の実施例により提供されるネットワーク装置であって、プロセッサ、及びプロセッサに実行可能なコンピュータプログラムを記憶するメモリを含み、
前記プロセッサは前記コンピュータプログラムを実行する時、前記方法のステップを実行する。
【００１１】
本発明の実施例により提供されるコンピュータ記憶媒体であって、コンピュータ実行可能命令が記憶され、前記コンピュータ実行可能命令が実行されると、前記方法のステップを実行する。
【発明の効果】
【００１２】
本発明の実施例の技術的解決策によれば、検索されたビーム識別子又は前記同期情報ブロック識別子に対応する周波数層情報に基づき、探索する少なくとも１つの高優先度周波数セルを決定し、ここで、前記高優先度周波数セルは、周波数優先度が前記ＵＥの現在位置するセルの周波数優先度より高いセルであり、探索時間間隔に基づいて、探索する少なくとも１つの高優先度周波数セルを探索することができ、それにより、高優先度周波数セルの探索時間を縮め、ＵＥの電力消費を低減するという目的を実現することができる。
【図面の簡単な説明】
【００１３】
【図１】本発明の実施例により提供されるＵＥによるセル探索の制御方法のフローチャートである。
【図２】本発明の実施例のＵＥの構成の構造模式図である。
【図３】本発明の実施例のネットワーク装置の構成の構造模式図である。
【図４】本発明の実施例のハードウェアの構造模式図である。
【発明を実施するための形態】
【００１４】
本発明の実施例の特徴及び技術的内容をより詳細に理解するために、以下、図面を参照しながら本発明の実施例の達成を詳細に説明し、添付図面は参照するためのものにすぎず、本発明の実施例を限定するものではない。
【００１５】
実施例１
本発明の実施例はＵＥに適用されるセルを検索するようにユーザ装置（ＵＥ）を制御する方法を提供し、図１に示すとおり、前記方法は、次のステップを含む。
【００１６】
ステップ１０１において、システムを介して受信ネットワーク側に送信した、同期情報ブロック識別子に対応する周波数層情報をブロードキャストする。
【００１７】
ステップ１０２において、検索されたビーム識別子又は前記同期情報ブロック識別子に対応する周波数層情報に基づき、探索する少なくとも１つの高優先度周波数セルを決定し、前記高優先度周波数セルは、周波数優先度が前記ＵＥの現在位置するセルの周波数優先度より高いセルである。
【００１８】
ステップ１０３において、探索時間間隔に基づいて、探索する少なくとも１つの高優先度周波数セルを探索し、前記探索時間間隔は、性能要件を満たすすべての高優先度周波数セルの最小時間間隔である。
【００１９】
本実施例において前記ＵＥはスマートフォン等の端末装置であってもよく、一々を挙げることは省略する。
【００２０】
前記システムブロードキャスト情報はネットワーク側の基地局によって発行されてもよい。
【００２１】
前記周波数層情報は周波数層の数、又は、すべての隣接セルの周波数層の周波数及び前記周波数に対応する隣接セルの構成情報である。
【００２２】
具体的には、システムブロードキャストはＳＳＢ  ｉｎｄｅｘに基づく周波数層情報をブロードキャストすることができる。ＵＥは検索されたｂｅａｍ  ｉｎｄｅｘに基づいてどの高優先度周波数層が必要であるかを判定する。
【００２３】
ＲＡＮ４に基づいて性能要件を満たす高優先度周波数セルの最も低い探索時間間隔のすべてを定義し、例えば、Ｔとして定義する。
【００２４】
上記説明に基づいて、以下、複数の処理方式と組み合わせて説明する。
【００２５】
処理方式１
前記方法は、ネットワーク側によってブロードキャストされる、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つの関連付けられている補正因子を受信し、前記補正因子に基づいて前記探索時間間隔を補正するステップをさらに含む。
【００２６】
補正因子の決定方式は、基地局側が、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに基づいて、前記ＵＥに対応する補正因子を決定することであってもよい。
【００２７】
具体的には、上記いくつかの情報を組み合わせて使用してもよく、１つのみを使用してもよく、例えば、前記ＵＥの位置するセルの周波数優先度が２であり、現在の周波数優先度より高い隣接セルの数が３である場合、該補正因子は大きくてもよく、つまり、必ずしもより高い優先度周波数に調整されるとは限らず、勿論、具体的な決定方式はネットワーク側が実際の状況に応じて調整でき、本実施例において一々を挙げることは省略する。
【００２８】
現在のセルの周波数優先度、ネットワーク側の負荷状態、及び隣接セルの取得可能なより高い優先度の数及び最高優先度の優先度に基づいて、ネットワーク側は補正因子ｆをブロードキャストする。該補正因子は高優先度の周波数セルを検索する時間間隔を補正するように構成され、高優先度セルを検索する最後の探索時間間隔はＴ＊ｆである。
【００２９】
前記ネットワーク側によってブロードキャストされる補正因子を受信する方式は、ネットワーク側と同期信号ブロック識別子によって共にブロードキャストされた補正因子を受信する。具体的には、該因子はシステムブロードキャストを介してブロードキャストされ、好ましくは、ＳＳＢ  ｉｎｄｅｘと共にブロードキャストされてもよく、つまり、各ｂｅａｍ  ｉｎｄｅｘは１つの因子に対応する。
【００３０】
前記補正因子に基づいて前記最小時間間隔を補正するステップは、
前記ＵＥが現在の同期信号ブロック識別子を取得して、現在の同期信号ブロック識別子に対応する補正因子を選択するステップと、前記現在の同期信号ブロック識別子に対応する補正因子に基づいて、前記探索時間間隔を補正するステップとを含む。具体的には、前記探索時間間隔に前記補正因子を掛けて、補正後の探索時間間隔を得る。
【００３１】
つまり、ＵＥは現在のＳＳＢ  ｉｎｄｅｘを取得し、そしてＳＳＢ  ｉｎｄｅｘと因子との対応関係をブロードキャストすることによって適切な因子を選択してすべての高優先度セルの時間間隔を補正する。
【００３２】
処理方式２
ＲＡＮ４によって定義される少なくとも１つの第１補正因子を保存し、それぞれの第１補正因子はいずれも前記ＵＥの位置するセルの周波数優先度とＵＥの探索するターゲット周波数優先度との間の差、及びＵＥの位置するセルの周波数優先度の２つの次元に対応する。
【００３３】
つまり、ＵＥ側はリストを予め保存してもよく、該リストは２次元のパラメータによって決定され、一方のパラメータは差を特徴づけるように構成され、他方のパラメータは周波数優先度を特徴づけるように構成され、差は前記ＵＥの位置するセルの周波数優先度とＵＥの探索するターゲット周波数優先度との差であってもよく、周波数優先度を特徴づける他方のパラメータは前記ＵＥの現在位置するセルの周波数優先度であってもよい。上記２つのパラメータに基づいて第１補正因子（例えば、後に補正因子１とされる）を唯一に決定することができる。
【００３４】
すなわち、ＲＡＮ４は現在のセルの周波数優先度とターゲット周波数優先度との差、及び現在の周波数優先度の２次元を定義することによって、すべての高優先度周波数セルの補正因子１を決定することができる。
【００３５】
本処理方式における探索時間間隔の補正方式は、
前記ＵＥの現在位置するセルの周波数優先度及び前記ＵＥ探索するターゲット周波数に基づいて、第１補正因子を決定すること、
現在の同期信号ブロック識別子に基づいて対応する第２補正因子（つまり、後述の補正因子２）を選択すること、
前記第１補正因子及び第２補正因子に基づいて、補正後の探索時間間隔を決定することであってもよい。
【００３６】
補正因子２を選択する方式は、システムを介して各ＳＳＢ  ｉｎｄｅｘに対応する補正因子２をブロードキャストすることであってもよく、つまり、各ｂｅａｍ  ｉｎｄｅｘは１つの補正因子２に対応する。
【００３７】
ＵＥは現在のＳＳＢ  ｉｎｄｅｘを取得し、そしてＳＳＢ  ｉｎｄｅｘと因子との対応関係をブロードキャストすることによって適切な因子２を選択する。
【００３８】
ＵＥは高優先度の周波数層、補正因子１及び補正因子２に基づいて高優先度を検索する時間間隔を決定する。
【００３９】
具体的には、前記前記第１補正因子及び第２補正因子に基づいて、補正後の探索時間間隔を決定するステップは、前記探索時間間隔に前記第１補正因子を掛ける後、第２補正因子をさらに掛けて、補正後の探索時間間隔を得るステップを含む。
【００４０】
以上より、上記方式を用いると、検索されたビーム識別子又は前記同期情報ブロック識別子に対応する周波数層情報に基づいて、周波数優先度が前記ＵＥの現在位置するセルの周波数優先度より高いセルである探索する少なくとも１つの高優先度周波数セルを決定し、探索時間間隔に基づいて探索する少なくとも１つの高優先度周波数セルを検索することができ、それにより、高優先度周波数セルを検索する探索時間を縮め、ＵＥの電力消費を低減するという目的を実現することができる。
【００４１】
実施例２
本発明の実施例は、ネットワーク装置に適用されるセルを検索するようにユーザ装置（ＵＥ）を制御する方法を提供し、前記方法は、システムブロードキャストを介してＵＥに同期情報ブロック識別子に基づく周波数層情報を送信するステップを含む。
【００４２】
本実施例において前記ＵＥはスマートフォン等の端末装置であってもよく、一々を挙げることは省略する。前記ネットワーク装置は基地局であってもよい。
【００４３】
前記システムブロードキャスト情報はネットワーク側の基地局によって発行される。
【００４４】
前記周波数層情報は周波数層の数、又は、すべての隣接セルの周波数層の周波数及び前記周波数に対応する隣接セルの構成情報である。
【００４５】
具体的には、システムブロードキャストはＳＳＢ  ｉｎｄｅｘに基づく周波数層情報をブロードキャストすることができる。ＵＥは検索されたｂｅａｍ  ｉｎｄｅｘに基づいてどの高優先度周波数層が必要であるかを判定する。
【００４６】
ＲＡＮ４に基づいて性能要件を満たす高優先度周波数セルの最も低い探索時間間隔のすべてを定義し、例えば、Ｔとして定義する。
【００４７】
上記説明に基づいて、以下、複数の処理方式と組み合わせて説明する。
【００４８】
処理方式１
前記方法は、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに基づいて、前記探索時間間隔に対する補正因子を決定するステップと、システムブロードキャストを介して前記ＵＥに前記探索時間間隔に対する補正因子を送信するステップとをさらに含む。
【００４９】
補正因子の決定方式は、ＵＥが基地局側によって前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報少なくとも１つに基づいて、前記ＵＥに対応する補正因子を決定することであってもよい。
【００５０】
具体的には、上記いくつかの情報を組み合わせて使用してもよく、１つのみを使用してもよく、例えば、前記ＵＥの位置するセルの周波数優先度が２であり、現在の周波数優先度より高い隣接セルの数が３である場合、該補正因子は大きくてもよく、つまり、必ずしもより高い優先度周波数に調整されるとは限らず、勿論、具体的な決定方式はネットワーク側が実際の状況に応じて調整でき、本実施例において一々を挙げることは省略する。
【００５１】
現在のセルの周波数優先度、ネットワーク側の負荷状態、及び隣接セルの取得可能なより高い優先度の数及び最高優先度の優先度に基づいて、ネットワーク側は補正因子ｆをブロードキャストする。該補正因子は高優先度の周波数セルを検索する時間間隔を補正するように構成される。
【００５２】
前記ネットワーク側によってブロードキャストされる補正因子を受信する方式は、前記システムブロードキャストを介して前記ＵＥに前記探索時間間隔に対する補正因子を送信するステップを含み、前記ステップは、
同期信号ブロック識別子と、対応する補正因子を共にシステムブロードキャストを介して前記ＵＥに送信するステップを含む。具体的には、該因子はシステムブロードキャストを介してブロードキャストされ、好ましくは、ＳＳＢ  ｉｎｄｅｘと共にブロードキャストされてもよく、つまり、各ｂｅａｍ  ｉｎｄｅｘは１つの因子に対応する。
【００５３】
前記補正因子に基づいて前記最小時間間隔を補正するステップは、前記探索時間間隔に前記補正因子を掛けて、補正後の探索時間間隔を得るステップを含む。
【００５４】
つまり、ＵＥは現在のＳＳＢ  ｉｎｄｅｘを取得し、そしてＳＳＢ  ｉｎｄｅｘと因子との対応関係をブロードキャストすることによって適切な因子を選択してすべての高優先度セルの時間間隔を補正する。
【００５５】
処理方式２
ＲＡＮ４によって定義される少なくとも１つの第１補正因子を保存し、それぞれの第１補正因子はいずれも前記ＵＥの位置するセルの周波数優先度とＵＥの探索するターゲット周波数優先度との間の差、及びＵＥの位置するセルの周波数優先度の２つの次元に対応する。
【００５６】
つまり、ＵＥ側及びネットワーク側はいずれもあらかじめ１個のリストを保存することができ、該リストは２次元のパラメータによって決定され、一方のパラメータは差を特徴づけるように構成され、他方のパラメータは周波数優先度を特徴づけるように構成され、差は前記ＵＥの位置するセルの周波数優先度とＵＥの探索するターゲット周波数優先度との差であってもよく、周波数優先度を特徴づける他方のパラメータは前記ＵＥの現在位置するセルの周波数優先度であってもよい。上記２つのパラメータに基づいて第１補正因子（例えば、後に補正因子１とされる）を唯一に決定することができる。
【００５７】
すなわち、ＲＡＮ４は現在のセルの周波数優先度とターゲット周波数優先度との差、及び現在の周波数優先度の２次元を定義することによって、すべての高優先度周波数セルの補正因子１を決定することができる。
【００５８】
システムを介して同期信号ブロック識別子に対応する第２補正因子をブロードキャストする（つまり、後述の補正因子２）。
【００５９】
それに対応して、ＵＥは、前記第１補正因子及び第２補正因子に基づいて、補正後の探索時間間隔を決定する。
【００６０】
補正因子２を選択する方式は、システムを介して各ＳＳＢ  ｉｎｄｅｘに対応する補正因子２をブロードキャストすることであってもよく、つまり、各ｂｅａｍ  ｉｎｄｅｘは１つの補正因子２に対応する。
【００６１】
ＵＥは現在のＳＳＢ  ｉｎｄｅｘを取得し、そしてＳＳＢ  ｉｎｄｅｘと因子との対応関係をブロードキャストすることによって適切な因子２を選択する。
【００６２】
ＵＥは高優先度の周波数層、補正因子１及び補正因子２に基づいて高優先度を検索する時間間隔を決定する。
【００６３】
具体的には、前記前記第１補正因子及び第２補正因子に基づいて、補正後の探索時間間隔を決定するステップは、前記探索時間間隔に前記第１補正因子を掛ける後、第２補正因子をさらに掛けて、補正後の探索時間間隔を得るステップを含む。
【００６４】
以上により、上記方式を用いると、検索されたビーム識別子又は前記同期情報ブロック識別子に対応する周波数層情報に基づいて、周波数優先度が前記ＵＥの現在位置するセルの周波数優先度より高いセルである探索する少なくとも１つの高優先度周波数セルを決定し、探索時間間隔に基づいて探索する少なくとも１つの高優先度周波数セルを検索することができ、それにより、高優先度周波数セルを検索する探索時間を縮め、ＵＥの電力消費を低減するという目的を実現することができる。
【００６５】
実施例３
本発明の実施例はＵＥを提供し、図２に示すとおり、
システムを介して、受信ネットワーク側に送信した、同期情報ブロック識別子に対応する周波数層情報をブロードキャストし、探索時間間隔に基づいて、探索する少なくとも１つの高優先度周波数セルを探索するように構成される第１通信ユニット２１であって、前記探索時間間隔は、性能要件を満たすすべての高優先度周波数セルの最小時間間隔である第１通信ユニット２１と、
検索されたビーム識別子又は前記同期情報ブロック識別子に対応する周波数層情報に基づき、周波数優先度が前記ＵＥの現在位置するセルの周波数優先度より高いセルである探索する少なくとも１つの高優先度周波数セルを決定するように構成される第１処理ユニット２２とを含む。
【００６６】
本実施例において前記ＵＥはスマートフォン等の端末装置であってもよく、一々を挙げることは省略する。
【００６７】
前記システムブロードキャスト情報はネットワーク側の基地局によって発行される。
【００６８】
前記周波数層情報は周波数層の数、又は、すべての隣接セルの周波数層の周波数及び前記周波数に対応する隣接セルの構成情報である。
【００６９】
具体的には、システムブロードキャストはＳＳＢ  ｉｎｄｅｘに基づく周波数層情報をブロードキャストすることができる。ＵＥは検索されたｂｅａｍ  ｉｎｄｅｘに基づいてどの高優先度周波数層が必要であるかを判定する。
【００７０】
ＲＡＮ４に基づいて性能要件を満たす高優先度周波数セルの最も低い探索時間間隔のすべてを定義し、例えば、Ｔとして定義する。
【００７１】
上記説明に基づいて、以下、複数の処理方式と組み合わせて説明する。
【００７２】
処理方式１
前記第１通信ユニット２１は、ネットワーク側によってブロードキャストされる補正因子を受信するように構成され、前記補正因子は、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つの関連付けられている。
【００７３】
前記第１処理ユニット２２は、前記補正因子に基づいて前記探索時間間隔を補正するように構成される。
【００７４】
補正因子の決定方式は、基地局側が、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに基づいて、前記ＵＥに対応する補正因子を決定することであってもよい。
【００７５】
具体的には、上記のいくつかの情報を組み合わせて使用してもよく、１つのみを使用してもよく、例えば、前記ＵＥの位置するセルの周波数優先度が２であり、現在の周波数優先度より高い隣接セルの数が３である場合、該補正因子は大きくてもよく、つまり、必ずしもより高い優先度周波数に調整されるとは限らず、勿論、具体的な決定方式はネットワーク側が実際の状況に応じて調整でき、本実施例において一々を挙げることは省略する。
【００７６】
現在のセルの周波数優先度、ネットワーク側の負荷状態、及び隣接セルの取得可能なより高い優先度の数及び最高優先度の優先度に基づいて、ネットワーク側は補正因子ｆをブロードキャストする。該補正因子は高優先度の周波数セルを検索する時間間隔を補正するように構成される。
【００７７】
前記ネットワーク側によってブロードキャストされる補正因子を受信する方式は、前記第１通信ユニット２１がネットワーク側と同期信号ブロック識別子によって共にブロードキャストされた補正因子を受信することを含む。具体的には、該因子はシステムブロードキャストを介してブロードキャストされ、好ましくは、ＳＳＢ  ｉｎｄｅｘと共にブロードキャストされてもよく、つまり、各ｂｅａｍ  ｉｎｄｅｘは１つの因子に対応する。
【００７８】
前記第１処理ユニット２２は、現在の同期信号ブロック識別子を取得して、現在の同期信号ブロック識別子に対応する補正因子を選択し、前記現在の同期信号ブロック識別子に対応する補正因子に基づいて、前記探索時間間隔を補正するように構成される。具体的には、前記探索時間間隔に前記補正因子を掛けて、補正後の探索時間間隔を得る。
【００７９】
つまり、ＵＥは現在のＳＳＢ  ｉｎｄｅｘを取得し、そしてＳＳＢ  ｉｎｄｅｘと因子との対応関係をブロードキャストすることによって適切な因子を選択してすべての高優先度セルの時間間隔を補正する。
【００８０】
処理方式２
前記第１処理ユニット２２は、ＲＡＮ４によって定義される少なくとも１つの第１補正因子を保存するように構成され、それぞれの第１補正因子はいずれも前記ＵＥの位置するセルの周波数優先度とＵＥの探索するターゲット周波数優先度との間の差、及びＵＥの位置するセルの周波数優先度の２つの次元に対応する。
【００８１】
つまり、ＵＥ側はリストを予め保存してもよく、該リストは２次元のパラメータによって決定され、一方のパラメータは差を特徴づけるように構成され、他方のパラメータは周波数優先度を特徴づけるように構成され、差は前記ＵＥの位置するセルの周波数優先度とＵＥの探索するターゲット周波数優先度との差であってもよく、周波数優先度を特徴づける他方のパラメータは前記ＵＥの現在位置するセルの周波数優先度であってもよい。上記の２つのパラメータに基づいて第１補正因子（例えば、後に補正因子１とされる）を唯一に決定することができる。
【００８２】
すなわち、ＲＡＮ４は現在のセルの周波数優先度とターゲット周波数優先度との差、及び現在の周波数優先度の２次元を定義することによって、すべての高優先度周波数セルの補正因子１を決定することができる。
【００８３】
前記第１処理ユニット２２は、前記ＵＥの現在位置するセルの周波数優先度及び前記ＵＥ探索するターゲット周波数に基づいて、第１補正因子を決定し、
現在の同期信号ブロック識別子に基づいて対応する第２補正因子（つまり、後述の補正因子２）を選択し、
前記第１補正因子及び第２補正因子に基づいて、補正後の探索時間間隔を決定するように構成される。
【００８４】
補正因子２を選択する方式は、システムを介して各ＳＳＢ  ｉｎｄｅｘに対応する補正因子２をブロードキャストすることであってもよく、つまり、各ｂｅａｍ  ｉｎｄｅｘは１つの補正因子２に対応する。
【００８５】
ＵＥは現在のＳＳＢ  ｉｎｄｅｘを取得し、そしてＳＳＢ  ｉｎｄｅｘと因子との対応関係をブロードキャストすることによって適切な因子２を選択する。
【００８６】
ＵＥは高優先度の周波数層、補正因子１及び補正因子２に基づいて高優先度を検索する時間間隔を決定する。
【００８７】
具体的には、前記第１処理ユニット２２は、前記探索時間間隔に前記第１補正因子を掛ける後、第２補正因子をさらに掛けて、補正後の探索時間間隔を得る。
【００８８】
以上より、上記方式を用いると、検索されたビーム識別子又は前記同期情報ブロック識別子に対応する周波数層情報に基づいて、周波数優先度が前記ＵＥの現在位置するセルの周波数優先度より高いセルである探索する少なくとも１つの高優先度周波数セルを決定し、探索時間間隔に基づいて探索する少なくとも１つの高優先度周波数セルを検索することができ、それにより、高優先度周波数セルを検索する探索時間を縮め、ＵＥの電力消費を低減するという目的を実現することができる。
【００８９】
実施例４
本発明の実施例はネットワーク装置を提供し、図３に示すとおり、システムブロードキャストを介してＵＥに同期情報ブロック識別子に基づく周波数層情報を送信するように構成される第２通信ユニット３１を含む。
【００９０】
本実施例において前記ＵＥはスマートフォン等の端末装置であってもよく、一々を挙げることは省略する。前記ネットワーク装置は基地局であってもよい。
【００９１】
前記システムブロードキャスト情報はネットワーク側の基地局によって発行される。
【００９２】
前記周波数層情報は周波数層の数、又は、すべての隣接セルの周波数層の周波数及び前記周波数に対応する隣接セルの構成情報である。
【００９３】
具体的には、システムブロードキャストはＳＳＢ  ｉｎｄｅｘに基づく周波数層情報をブロードキャストすることができる。ＵＥは検索されたｂｅａｍ  ｉｎｄｅｘに基づいてどの高優先度周波数層が必要であるかを判定する。
【００９４】
ＲＡＮ４に基づいて性能要件を満たす高優先度周波数セルの最も低い探索時間間隔のすべてを定義し、例えば、Ｔとして定義する。
【００９５】
上記説明に基づいて、以下、複数の処理方式と組み合わせて説明する。
【００９６】
処理方式１
前記ネットワーク装置は、
前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに基づいて、前記探索時間間隔に対する補正因子を決定するように構成される第２通信ユニット３１、システムブロードキャストを介して前記ＵＥに前記探索時間間隔に対する補正因子を送信するように構成される第２処理ユニット３２をさらに含む。
【００９７】
補正因子の決定方式は、ＵＥが基地局側によって前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報少なくとも１つに基づいて、前記ＵＥに対応する補正因子を決定することであってもよい。
【００９８】
具体的には、上記いくつかの情報を組み合わせて使用してもよく、１つのみを使用してもよく、例えば、前記ＵＥの位置するセルの周波数優先度が２であり、現在の周波数優先度より高い隣接セルの数が３である場合、該補正因子は大きくてもよく、つまり、必ずしもより高い優先度周波数に調整されるとは限らず、勿論、具体的な決定方式はネットワーク側が実際の状況に応じて調整でき、本実施例において一々を挙げることは省略する。
【００９９】
現在のセルの周波数優先度、ネットワーク側の負荷状態、及び隣接セルの取得可能なより高い優先度の数及び最高優先度の優先度に基づいて、ネットワーク側は補正因子ｆをブロードキャストする。該補正因子は高優先度の周波数セルを検索する時間間隔を補正するように構成される。
【０１００】
前記ネットワーク側によってブロードキャストされる補正因子を受信する方式は、第２通信ユニット３１が同期信号ブロック識別子と、対応する補正因子を共にシステムブロードキャストを介して前記ＵＥに送信することである。具体的には、該因子はシステムブロードキャストを介してブロードキャストされ、好ましくは、ＳＳＢ  ｉｎｄｅｘと共にブロードキャストされてもよく、つまり、各ｂｅａｍ  ｉｎｄｅｘは１つの因子に対応する。
【０１０１】
つまり、ＵＥは現在のＳＳＢ  ｉｎｄｅｘを取得し、そしてＳＳＢ  ｉｎｄｅｘと因子との対応関係をブロードキャストすることによって適切な因子を選択してすべての高優先度セルの時間間隔を補正する。
【０１０２】
処理方式２
ＲＡＮ４によって定義される少なくとも１つの第１補正因子を保存し、それぞれの第１補正因子はいずれも前記ＵＥの位置するセルの周波数優先度とＵＥの探索するターゲット周波数優先度との間の差、及びＵＥの位置するセルの周波数優先度の２つの次元に対応する。
【０１０３】
つまり、ＵＥ側及びネットワーク側はいずれもリストを予め保存することができ、該リストは２次元のパラメータによって決定され、一方のパラメータは差を特徴づけるように構成され、他方のパラメータは周波数優先度を特徴づけるように構成され、差は前記ＵＥの位置するセルの周波数優先度とＵＥの探索するターゲット周波数優先度との差であってもよく、周波数優先度を特徴づける他方のパラメータは前記ＵＥの現在位置するセルの周波数優先度であってもよい。上記２つのパラメータに基づいて第１補正因子（例えば、後に補正因子１とされる）を唯一に決定することができる。
【０１０４】
すなわち、ＲＡＮ４は現在のセルの周波数優先度とターゲット周波数優先度との差、及び現在の周波数優先度の２次元を定義することによって、すべての高優先度周波数セルの補正因子１を決定することができる。
【０１０５】
第２通信ユニット３１は、システムを介して同期信号ブロック識別子に対応する第２補正因子（つまり、後述の補正因子２）をブロードキャストし、
それに対応して、ＵＥは前記第１補正因子及び第２補正因子に基づいて、補正後の探索時間間隔を決定することができる。
【０１０６】
補正因子２を選択する方式は、システムを介して各ＳＳＢ  ｉｎｄｅｘに対応する補正因子２をブロードキャストすることであってもよく、つまり、各ｂｅａｍ  ｉｎｄｅｘは１つの補正因子２に対応する。
【０１０７】
ＵＥは現在のＳＳＢ  ｉｎｄｅｘを取得し、そしてＳＳＢ  ｉｎｄｅｘと因子との対応関係をブロードキャストすることによって適切な因子２を選択する。
【０１０８】
ＵＥは高優先度の周波数層、補正因子１及び補正因子２に基づいて高優先度を検索する時間間隔を決定する。
【０１０９】
以上より、上記方式を用いると、検索されたビーム識別子又は前記同期情報ブロック識別子に対応する周波数層情報に基づいて、周波数優先度が前記ＵＥの現在位置するセルの周波数優先度より高いセルである探索する少なくとも１つの高優先度周波数セルを決定し、探索時間間隔に基づいて探索する少なくとも１つの高優先度周波数セルを検索することができ、それにより、高優先度周波数セルを検索する探索時間を縮め、ＵＥの電力消費を低減するという目的を実現することができる。
【０１１０】
本発明の実施例はユーザ装置、又は受信側装置のハードウェア構成構造をさらに提供し、図４に示すとおり、少なくとも１つのプロセッサ４１、メモリ４２、少なくとも１つのネットワークインターフェース４３を含む。各ユニットはバスシステム４４を介して一体に結合される。バスシステム４４はこれらのユニットの間の接続通信を実現するように構成されることが理解される。バスシステム４４はデータバスのほか、電源バス、制御バス及びステータス信号バスをさらに含む。しかしながら、説明を明確にするために、図４において各バスをバスシステム４４とする。
【０１１１】
本発明の実施例におけるメモリ４２は、揮発性メモリまたは不揮発性メモリ、又は揮発性及び不揮発性メモリの両者を含むことが理解される。
【０１１２】
いくつかの実施形態において、メモリ４２にはモジュール又はデータ構造、又はそれらのサブセット、又はそれらの拡張セットを実行可能なオペレーティングシステム４２１及びアプリケーションプログラム４２２が記憶される。
【０１１３】
前記プロセッサ４１は、上記実施例１又は２の方法のステップを処理するように構成され、ここで、詳細な説明は省略する。
【０１１４】
本発明の実施例により提供されるコンピュータ記憶媒体は、コンピュータ実行可能命令が記憶され、前記コンピュータ実行可能命令が実行されると、上記実施例１又は２の方法ステップを実行する。
【０１１５】
本発明の実施例の上記装置はソフトウェア機能モジュールの形態で達成され且つ独立した製品として販売又は使用される場合、コンピュータリーダブル記憶媒体に記憶されてもよい。このような理解に基づき、本発明の実施例の技術案の本質又は従来技術に貢献する部分は、ソフトウェア製品の形式で具現されてもよく、該コンピュータソフトウェア製品は１台のコンピュータ装置（パーソナルコンピュータ、サーバ又はネットワーク機器等であってもよい）に本発明の各実施例に記載の方法の全部又は一部のステップを実行させるための複数の命令を含む１つの記憶媒体に記憶される。そして、上記記憶媒体は、ＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいずれかの特定のハードウェアとソフトウェアの組合せに制限されるものではない。
【０１１６】
それに対応して、本発明の実施例はコンピュータ記憶媒体をさらに提供し、コンピュータプログラムが記憶され、該コンピュータプログラムは本発明の実施例のデータスケジューリング方法を実行するように構成される。
【０１１７】
本発明の好ましい実施例を例示の目的で開示したが、当業者は様々な改良、追加、及び置換も可能であり、従って本発明の範囲は上記の実施例に限定されるべきではないことが理解される。
【図１】
2021516881.tif 000003
【図２】
2021516881.tif 000004
【図３】
2021516881.tif 000005
【図４】
2021516881.tif 000006
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
ＵＥに適用される、ユーザ装置（ＵＥ）によるセル探索の制御方法であって、
システムを介して、受信ネットワーク側に送信した、同期情報ブロック識別子に対応する周波数層情報をブロードキャストするステップと、
検索されたビーム識別子又は前記同期情報ブロック識別子に対応する周波数層情報に基づき、探索する少なくとも１つの高優先度周波数セルを決定するステップであって、前記高優先度周波数セルは、周波数優先度が前記ＵＥの現在位置するセルの周波数優先度より高いセルであるステップと、
探索時間間隔に基づいて、探索する少なくとも１つの高優先度周波数セルを探索するステップであって、前記探索時間間隔は、性能要件を満たすすべての高優先度周波数セルの最小時間間隔であるステップを含む、前記ユーザ装置（ＵＥ）によるセル探索の制御方法。
【請求項２】
ネットワーク側によってブロードキャストされる補正因子を受信するステップであって、前記補正因子は、前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに関連付けられているステップと、
前記補正因子に基づいて前記探索時間間隔を補正するステップとをさらに含む
請求項１に記載の方法。
【請求項３】
前記ネットワーク側によってブロードキャストされる補正因子を受信するステップは、
ネットワーク側と同期信号ブロック識別子によって共にブロードキャストされる補正因子を受信するステップを含む
請求項２に記載の方法。
【請求項４】
前記補正因子に基づいて前記探索時間間隔を補正するステップは、
前記ＵＥが現在の同期信号ブロック識別子を取得して、現在の同期信号ブロック識別子に対応する補正因子を選択するステップと、
前記現在の同期信号ブロック識別子に対応する補正因子に基づいて、前記探索時間間隔を補正するステップとを含む
請求項３に記載の方法。
【請求項５】
前記現在の同期信号ブロック識別子に対応する補正因子に基づいて、前記探索時間間隔を補正するステップは、
前記探索時間間隔に前記補正因子を掛けて、補正後の探索時間間隔を得るステップを含む
請求項４に記載の方法。
【請求項６】
ＲＡＮ４によって定義される少なくとも１つの第１補正因子を保存するステップをさらに含み、それぞれの第１補正因子は、いずれも前記ＵＥの位置するセルの周波数優先度とＵＥの探索するターゲット周波数優先度との間の差、及びＵＥの位置するセルの周波数優先度の２つの次元に対応する
請求項１に記載の方法。
【請求項７】
前記ＵＥの現在位置するセルの周波数優先度及び前記ＵＥの探索するターゲット周波数優先度に基づいて、第１補正因子を決定するステップと、
現在の同期信号ブロック識別子に基づいて、対応する第２補正因子を選択するステップと、
前記第１補正因子及び第２補正因子に基づいて、補正後の探索時間間隔を決定するステップとをさらに含む
請求項６に記載の方法。
【請求項８】
前記第１補正因子及び第２補正因子に基づいて、補正後の探索時間間隔を決定するステップは、
前記探索時間間隔に前記第１補正因子を掛ける後、第２補正因子をさらに掛けて、補正後の探索時間間隔を得るステップを含む
請求項７に記載の方法。
【請求項９】
前記周波数層情報は周波数層の数、又は、すべての隣接セルの周波数層の周波数及び前記周波数に対応する隣接セルの構成情報である
請求項１〜８のいずれか１項に記載の方法。
【請求項１０】
ネットワーク装置に適用される、ユーザ装置（ＵＥ）によるセル探索の制御方法であって、
システムブロードキャストを介してＵＥに同期情報ブロック識別子に基づく周波数層情報をＵＥに送信するステップを含む
ユーザ装置（ＵＥ）によるセル探索の制御方法。
【請求項１１】
前記ＵＥの現在位置するセルの周波数優先度、ネットワーク側の負荷状態、取得可能で現在位置するセルの周波数優先度よりも高い前記ＵＥの隣接セルの数、及び前記隣接セルが取得可能な最高優先度の情報の少なくとも１つに基づいて、前記探索時間間隔に対する補正因子を決定するステップと、
システムブロードキャストを介して前記ＵＥに前記探索時間間隔に対する補正因子を送信するステップとをさらに含む
請求項１０に記載の方法。
【請求項１２】
前記システムブロードキャストを介して前記ＵＥに前記探索時間間隔に対する補正因子を送信するステップは、
同期信号ブロック識別子と、対応する補正因子を共にシステムブロードキャストを介して前記ＵＥに送信するステップを含む
請求項１１に記載の方法。
【請求項１３】
システムを介して同期信号ブロック識別子に対応する第２補正因子をブロードキャストするステップをさらに含む
請求項１０に記載の方法。
【請求項１４】
前記周波数層情報は周波数層の数、又は、すべての隣接セルの周波数層の周波数及び前記周波数に対応する隣接セルの構成情報である
請求項１０〜１３のいずれか１項に記載の方法。
【請求項１５】
ＵＥであって、
プロセッサ、及びプロセッサで実行可能なコンピュータプログラムを記憶するメモリを含み、
前記プロセッサは、前記コンピュータプログラムを実行する時、請求項１〜９のいずれか１項に記載の方法のステップを実行する、前記ＵＥ。
【請求項１６】
ネットワーク装置であって、
プロセッサ、及びプロセッサで実行可能なコンピュータプログラムを記憶するメモリを含み、
前記プロセッサは、前記コンピュータプログラムを実行する時、請求項１０〜１４のいずれか１項に記載の方法のステップを実行する、前記ネットワーク装置。
【国際調査報告】
2021516881.tif 000007
2021516881.tif 000008
2021516881.tif 000009
2021516881.tif 000010